(57)【要約】【課題】遊技釘の位置確認を正確にすることができ、釘調整が的確にできる弾球遊技機の釘位置確認装置を提供する。【解決手段】遊技盤１０の遊技領域１３に固植される多数本の遊技釘１４の釘頭の正規の位置を透明シート９１に印刷した釘位置表示シート９０を該遊技盤１０の前面に配設される透明板４０に貼付し、該透明板４０を該遊技盤１０に対し上下左右に位置を微調整可能に配設する位置調整手段を備え、さらに遊技盤１０と釘位置表示シート９０とに正面視で合致位置し得る基準マーク２８ａ，２８ｂ，９３ａ，９３ｂをそれぞれ表示した。【選択図】図１
2018201676.tif 000002
【特許請求の範囲】
【請求項１】
遊技盤の遊技領域に固植される多数本の遊技釘の釘頭の正規の位置を透明シートに印刷した釘位置表示シートを該遊技盤の前面に配設される透明板に貼付し、該透明板を該遊技盤に対し上下左右に位置を微調整可能に配設する位置調整手段を備え、さらに前記遊技盤と前記釘位置表示シートとに正面視で合致位置し得る基準マークをそれぞれ表示してなることを特徴とする弾球遊技機の釘位置確認装置。
【請求項２】
前記位置調整手段は、前記透明板を遊技盤に対して上下左右に微動可能に支持する遊嵌部と、前記透明板を遊技盤に対して移動不能に固定するロック部とをそれぞれ透明板を保持する保持枠に設けてなることを特徴とする請求項１に記載した弾球遊技機の釘位置確認装置。
【請求項３】
前記位置調整手段は、遊技盤の遊技領域外に位置決孔を形成し、前記透明板を保持する保持枠に支軸を上下左右に位置を微調整可能なるように設け、該支軸が前記位置決孔に嵌合される位置合わせ機構を具備していることを特徴とする請求項１または２に記載した弾球遊技機の釘位置確認装置。
【請求項４】
前記釘位置表示シートは印刷面が前側となるように透明板の前面に貼付されていることを特徴とする請求項１〜３のいずれかに記載した弾球遊技機の釘位置確認装置。
【請求項５】
前記釘位置表示シートは釘頭の外径よりも小さい外径の釘位置マークにより正規の釘位置を表示することを特徴とする請求項１〜４のいずれかに記載した弾球遊技機の釘位置確認装置。
【請求項６】
前記釘位置マークは釘頭の色と同系色であることを特徴とする請求項４に記載した弾球遊技機の釘位置確認装置。
【発明の詳細な説明】
【技術分野】
【０００１】
本発明は、パチンコ遊技機，アレンジボール遊技機，雀球遊技機等のパチンコ球を遊技媒体とする弾球遊技機おいて、遊技盤に固植された多数の遊技釘の位置が正規の位置から変動していないかどうかを確認するための釘位置確認装置に関するものである。
【背景技術】
【０００２】
パチンコ遊技機等の弾球遊技機は、遊技盤の遊技領域に多数本の遊技釘が固植され、遊技盤面に発射された遊技球は該遊技釘に誘導されながら流下し、その落下状況によって入賞口に入賞するか、入賞しないものに振り分けられる。このため遊技釘の状況は入賞状況に大きく影響する。
ところでこれらの遊技釘は、機種に応じて予め定められた遊技盤の所定位置に固植されるが、釘打ち機の精度にも限界があることから、必ずしも基準どうり正確に位置するとは限らないとともに、遊技場に長期間設置され遊技に使用されていると、遊技球が遊技釘に繰り返し衝突することにより、遊技釘が曲がってしまい釘頭も正規の位置から大きくずれてしまうことがある。
【０００３】
一方、下記特許文献１に示された遊技機の釘位置調整方法は、遊技釘の基準位置を示す孔または画像を設けた透明または半透明の測定用シートを遊技盤の遊技領域に沿って平行に保持し、該測定用シートをめくりながら遊技釘の位置を調整するものであった。
【先行技術文献】
【特許文献】
【０００４】
【特許文献１】特開２００３−１９２６８
【発明の概要】
【発明が解決しようとする課題】
【０００５】
しかしながら、遊技盤に固植された多数本の遊技釘について、正規の位置からのずれを把握することは容易でなく、その確認や調整を行うことは、経験豊富な専門の作業者であっても時間を要する大変な作業であった。
また、特許文献１に示された方法では、測定用シートが妄動し易いうえ、遊技釘を基準とし該遊技釘に対して該測定用シートを差し込んで位置合わせを行うものであるので、基準としている遊技釘自体が位置ズレしていると、誤った位置に釘調整がされてしまうおそれもある。
【０００６】
そこで本発明は、遊技釘の位置確認を正確にすることができ、釘調整が的確にできる弾球遊技機の釘位置確認装置を提供しようとするものである。
【課題を解決するための手段】
【０００７】
そのために本発明に係る弾球遊技機の釘位置確認装置は、遊技盤の遊技領域に固植される多数本の遊技釘の釘頭の正規の位置を透明シートに印刷した釘位置表示シートを該遊技盤の前面に配設される透明板に貼付し、該透明板を該遊技盤に対し上下左右に位置を微調整可能に配設する位置調整手段を備え、さらに前記遊技盤と前記釘位置表示シートとに正面視で合致位置し得る基準マークをそれぞれ表示してなることを特徴とする。
このように基準マークを基として各遊技釘の位置を確認できるようにすることで、正確な確認ができる。
【０００８】
また本発明は上記釘位置確認装置において、前記位置調整手段は、前記透明板を遊技盤に対して上下左右に微動可能に支持する遊嵌部と、前記透明板を遊技盤に対して移動不能に固定するロック部とをそれぞれ透明板を保持する保持枠に設けてなることを特徴とする。
このように透明板を微動可能に支持することで基準マークを合致させることが可能となる。また、ロック部により透明板を固定することで、基準マークを合致させた状態が保持され、検査・確認作業中に透明板がずれないようにできる。
【０００９】
また本発明は上記釘位置確認装置において、前記位置調整手段は、遊技盤の遊技領域外に位置決孔を形成し、前記透明板を保持する保持枠に支軸を上下左右に位置を微調整可能なるように設け、該支軸が前記位置決孔に嵌合される位置合わせ機構を具備していることを特徴とする。
このように微動可能に支持することで基準マークをより合致させ易くなる。
【００１０】
また本発明は上記釘位置確認装置において、前記釘位置表示シートは印刷面が前側となるように透明板の前面に貼付されていることを特徴とする。
この貼付により遊技中に遊技球が釘位置表示シートに当たることなく、該釘位置表示シートの損耗が防止される。
また本発明は上記釘位置確認装置において、前記釘位置表示シートは釘頭の外径よりも小さい外径の釘位置マークにより正規の釘位置を表示するものであることを特徴とする。
正面視にて釘位置マークに対し釘頭がどの程度移動しているかが容易に判るようになり、検査・確認が容易になる。
【００１１】
また本発明は上記釘位置確認装置において、前記釘位置マークは釘頭の色と同系色であることを特徴とする。
釘位置マークを目立たなくできるので、釘位置表示シートが貼付られた透明板を遊技中もそのまま利用できる。
また本発明は上記釘位置確認装置において、釘位置マークは円形であることを特徴とする。
釘位置マークに対する釘頭の移動程度を判別し易くなり、検査・確認が容易になる。
【発明の効果】
【００１２】
遊技釘の位置を正確にしかも容易に確認することができる。従って釘調整も的確に行われるようになる。
【図面の簡単な説明】
【００１３】
【図１】本発明に係る弾球遊技機の遊技盤と透明板と釘位置表示シートの分解斜視図。
【図２】本発明に係る弾球遊技機の遊技盤の正面図。
【図３】本発明に係る弾球遊技機の透明板の正面図。
【図４】本発明に係る弾球遊技機の位置合わせ機構の分解斜視図。
【図５】本発明に係る弾球遊技機の位置合わせ機構の分解斜視図。
【図６】本発明に係る弾球遊技機の位置合わせ機構の分解斜視図。
【図７】本発明に係る弾球遊技機の位置合わせ機構の内部構造の正面図。
【図８】本発明に係る弾球遊技機の位置合わせ機構の内部構造の背面図。
【図９】本発明に係る弾球遊技機の遊技盤に透明板をセットする際の斜視図。
【図１０】本発明に係る弾球遊技機の遊技盤に透明板をセットする際の斜視図。
【図１１】図９のＡ−Ａ線断面矢視図。
【図１２】本発明に係る弾球遊技機の遊技盤に透明板を固定した状態の斜視図。
【図１３】本発明に係る弾球遊技機の遊技盤に透明板を固定した状態の正面図。
【図１４】図１３のＢ−Ｂ線断面矢視図。
【図１５】本発明に係る弾球遊技機の遊技盤に透明板を固定した状態の要部の裏面図。
【図１６】本発明に係る弾球遊技機の遊技盤と透明板と釘位置表示シートの縦断面図。
【図１７】本発明に係る弾球遊技機の釘位置確認状況を示す正面図。
【図１８】本発明に係る弾球遊技機の位置合わせ機構の他の実施例を示す斜視図。
【図１９】図１８に示した位置合わせ機構の右側面図。
【図２０】図１８に示した位置合わせ機構の分解斜視図。
【図２１】図１８に示した位置合わせ機構の分解斜視図。
【図２２】図１８に示した位置合わせ機構の横断面図。
【図２３】本発明に係る弾球遊技機の遊技盤と透明板と釘位置表示シートの縦断面図。
【図２４】本発明に係る弾球遊技機の遊技盤と透明板と釘位置表示シートの縦断面図。
【図２５】本発明に係る弾球遊技機の遊技盤と透明板と釘位置表示シートの縦断面図。
【発明を実施するための形態】
【００１４】
次に本発明に係る弾球遊技機の釘位置確認装置の構成を図面に従い説明する。図１は、この弾球遊技機に交換可能に設けられる遊技盤１０と、該遊技盤１０の前面に装着される透明板４０と、該透明板４０に貼付される釘位置表示シート９０を示す。遊技盤１０は図２にも示したように中央に液晶等の図柄表示装置や演出装置（図示せず）を配設するための大きな窓孔１１を形成したプラスチック製厚板状のもので、該遊技盤１０の前面に球誘導用レール１２ａ，１２ｂが固着され、該球誘導レール１２ａ，１２ｂによって囲われた遊技領域１３に多数本の遊技釘１４が固植される。なお、この実施形態に示した該各遊技釘１４は、表面が金色で、その釘頭を直径４．２ｍｍの半球状に形成したものを使用している。また、該遊技領域１３には、風車や電飾装置（図示せず）が配設されるほか、通過チャッカー，普通入賞口，始動入賞口，可変入賞口等（図示せず）等をそれぞれ配設するための取付孔１５ａ〜１５ｄが形成される。また、該遊技盤１０の裏側には入賞球集合樋、遊技制御基板等（図示せず）が設けられる。遊技中に前記球誘導レール１２ａ，１２ｂに沿って遊技球が発射され、該遊技球は遊技領域１３を遊技釘１４に誘導されながら流下する。そして、前記普通入賞口，始動入賞口等の入賞口に入賞しなかった遊技球は、アウト球排出口２１より排出される。
球誘導レール１２ａ，１２ｂの外側領域であって該遊技盤１０の向かって左側上部には、該球誘導レール１２ａ，１２ｂの起立厚さと同程度に前方に突出する側枠部材２１ａがビスによって固着され、該遊技盤１０の向かって左側下部に側枠部材２１ｂがビスによって固着され、該遊技盤１０の向かって右側上部に側枠部材２１ｃがビスによって固着され、該遊技盤１０の向かって右側下部に側枠部材２１ｄがビスによってそれぞれ固着されている。
【００１５】
また、遊技盤１０の向かって左側の上下縁部に相当する前記側枠部材２１ａ，２１ｂにそれぞれ略正方形の遊嵌孔２２ａ，２２ｂを形成し、該遊嵌孔２２ａ，２２ｂの内底部に後述する図１１に示したように板バネ２３を設けている。また、該遊技盤１０の向かって右側の上縁部に小円形の位置決孔２４を切削加工により形成し、該位置決孔２４を基準として前記遊技領域１３に多数の釘孔を穴開切削加工により形成し、該釘孔に前記遊技釘１４を固植することにより、位置決孔２４および多数本の遊技釘１４が該位置決孔２４に対して高精度で正確に位置し得るようにしている。
【００１６】
前記側枠部材２１ｃの上縁部にルーズクリップ２５を回転自在に軸着している。また、前記側枠部材２１ｄに凹窪部２６を形成し、該凹窪部２６に遊技盤１０の裏側まで貫通する略小判形の係合孔２７を形成している。また、前記側枠部材２１ｃの上縁部寄りの前面と前記側枠部材２１ｄの前面にそれぞれ十字状の基準マーク２８ａ，２８ｂを表示する。なお、これら側枠部材２１ａ，２１ｂは、前記位置決孔２４を基準として切削加工された図示しない取付孔に取り付けられる。したがって、前記基準マーク２８ａ，２８ｂは、前記位置決孔および前記各釘孔に対して高精度に位置し得ることとなる。
【００１７】
一方、透明板４０はプラスチック製の保持枠４２によって全周が囲われている。また、釘位置表示シート９０は、透明シート９１の表面に釘位置マーク９２を印刷することにより、前記遊技釘１４の正規の位置を表示している。なお、該各釘位置マーク９２は、前記遊技釘１４の釘頭と同じく金色または同系色の黄色の円形に表記され、その円形の外径は前記遊技釘１４の釘頭の外径よりも小さい２．２ｍｍにしている。また、該各釘位置マーク９２の位置の基準となる十字状の基準マーク９３ａ，９３ｂを該釘位置表示シート９０の向かって右上および左下に印刷によって表示している。
また、該釘位置表示シート９０の下縁部に機種名９４を印刷している。また、ホログラム式の偽造防止ラベル９５を該釘位置表示シート９０の下縁部に貼付し、該釘位置表示シート９０がコピー機によって容易に偽造されないようにしている。
そして、該釘位置表示シート９０は、裏面に塗着した粘着剤により、図３、図１６等に示したように透明板４０の表面に貼付される。
【００１８】
次に前記保持枠４２に設けられる位置調整手段の構成を説明する。該位置調整手段は、遊嵌部４３とロック部４４と位置合わせ機構４５とからなるが、先ず、遊嵌部４３から説明すると、保持枠４２の向かって左側辺に図１１に示したように先端部がＬ字状に折れ曲がった鉤状片４３ａ，４３ｂを一体に形成し、該鉤状片４３ａ，４３ｂを前記遊嵌孔２２ａ，２２ｂに遊嵌することにより、該保持枠４２および透明板４０が遊技盤１０に対して上下左右に微動可能に支持され、該鉤状片４３ａ，４３ｂが前記板バネ２３により押圧することで、該透明板４０が遊技盤１０の前面に一定間隔で保持されるようにしている。
また、ロック部４４は、図３，図９に示されるように、保持枠４２の下辺の向かって右側寄りに遊技盤１０の前記凹窪部２６に遊嵌し得る水平断面コ字形の垂下部４６を延設し、該垂下部４６に縦長孔４７および正面視円弧状のクサビ部４９を形成してなり、該縦長孔４７に図１４に示したようにロック片４８を装着し得るようにしている。なお、該ロック片４８は、縦長孔４７に貫挿する軸部４８ａの前端に鉤状の摘子部４８ｂを一体に形成するとともに後端に直交状の係合部４８ｃを一体に形成してなる。
【００１９】
また、位置合わせ機構４５は、保持枠４２の上辺の向かって右側寄りにビス５０ａ〜５０ｃによって止着される。また、該位置合わせ機構４５の向かって右側近傍に板状止片５１が該保持枠４２に一体に形成される。
次に位置合わせ機構４５の構成を図４〜図８に従い詳しく説明する。この位置合わせ機構４５は、前記ビス５０ａ〜５０ｃおよびビス５４ａ，５４ｂをケース５２と蓋体５３に貫挿することにより、該ケース５２と蓋体５３とを固着してなり、図１０に示されるように該ケース５２の背面に前記位置決孔２４に嵌合し得る支軸５５が突設され、該支軸５５を左右に微動させるための左右動ダイヤル５６が蓋体５３に形成されたダイヤル孔５６ａから前面に露出し、該支軸５５を上下に微動させるための上下動ダイヤル５７が蓋体５３に形成されたダイヤル孔５７ａから前面に露出する。該左右動ダイヤル５６はダイヤル軸５６ｂの下端部にウオーム５６ｃが固着され、該ダイヤル軸５６ｂをケース５２に形成された軸受部５２ａに垂直に貫挿することにより回転自在に支持するとともに、該ウオーム５６ｃと噛合するウオームホイール５６ｄが該ケース５２に形成された支持軸５２ｂに回転自在に支持され、該ウオームホイール５６ｄにはピニオン５６ｅを一体に形成している。なお、支軸５５は位置決孔２４に嵌合させ易いように先端部が先細テーパー状に形成されている。
【００２０】
また、図６に示したように、成形部材６１ａ，６１ｂにビス６２ａ，６２ｂを貫挿することにより左右動組体６３が組み立てられる。該左右動組体６３は、前記ケース５２に水平方向に長いスリット状のガイド孔５２ｃが形成され、成形部材６１ｂの背面に形成された突縁６３ｂを該ガイド孔５２ｃ中に摺動可能に貫挿することにより該ケース５２内にて左右方向にのみ移動するように設けられる。また、図７に示されるように該成形部材６１ｂの下縁部にラック歯６３ｃが一体に形成され、該ラック歯６３ｃを前記ピニオン５６ｅに噛合させている。
【００２１】
また、前記上下動ダイヤル５７にダイヤル軸５７ｂをＥリング５７′で固着し、該ダイヤル軸５７ｂを成形部材６１ａに形成された軸受部６１ｄに水平に貫挿することにより該上下動ダイヤル５７を回転自在に支持し、該ダイヤル軸５７ｂの先端にウオーム５７ｃ固着し、前記成形部材６１ｂに形成された支持軸６１ｃにピニオン５７ｄが一体に形成されたウオームホイール５７ｅを回転自在に支持し、該ウオームホイール５７ｅをウオーム５７ｃに噛合させている。
また、前記支軸５５の基端部に前記ピニオン５７ｄと噛合するラック歯６５ａおよび上下方向に長いガイド孔６５ｂが形成された軸基枠６５が固着され、前記成形部材６１ｂに突設されたガイド軸６３ｄが該ガイド孔６５ｂに遊嵌し、支軸５５は前記成形部材６１ｂに形成された上下方向に長い長孔６３ｅに上下動可能に貫挿され、さらに該支軸５５はケース５２に形成された大径孔５２ｄを貫通して該位置合わせ機構４５の背面に突出している。
【００２２】
このため、左右動ダイヤル５６を回転させると、ピニオン５６ｅが回転し左右動組体６３を左右動させ支軸５５を左右動させる一方、上下動ダイヤル５７を回転させると、ピニオン５７ｄが回転し軸基枠６５を上下動させるので該支軸５５を上下動させる。
【００２３】
このように構成した釘位置確認装置では、遊技盤１０に固植された多数本の遊技釘１４が正規の位置からずれていないかどうかを検査・確認するにあたり、先ず図９および図１０に示したように、保持枠４２の一側縁に形成された鉤状片４３ａ，４３ｂを該遊技盤１０の遊嵌孔２２ａ，２２ｂに遊嵌し、前記支軸５５を位置決孔２４に嵌合する。このとき保持枠４２は遊技盤１０に対して上下左右に微動可能に支持されていることから、該保持枠４２を必要に応じていずれかの方向に動かすことで、位置決孔２４に対して支軸５５を嵌合することができる。また、前記ルーズクリップ２５は、回転させて前記板状止片５１の表面上に摺接させることで、該保持枠４２を微動可能に支持し得る。
【００２４】
次いで、前記左右動ダイヤル５６および上下動ダイヤル５７を回転操作して支軸５５を左右および上下に微動させる。このとき、該支軸５５は位置決孔２４に嵌合されているので、実際は保持枠４２および該保持枠と一体の透明板４０が左右および上下に微動する。また、手で直接、保持枠４２を左右に動かすことにより支軸５５を支点として該保持枠４２を左右に僅かに傾斜させることもできる。このような微調整をすることにより、遊技板１０に表示された前記基準マーク２８ａ，２８ｂに対し前記基準マーク９３ａ，９３ｂを正面視で完全に合致位置させる。そして、合致できたところで、前記係合孔２７に貫挿されたロック片４８の摘子部４８ｂを回転操作し、図１４、図１５に示したように係合部４８ｃを遊技盤１０の裏側面に係合させる。なおこのとき摘子部４８ｂが前記クサビ部４９上に乗り上ることにより、軸部４８ａが前方に牽引されるので、保持枠４２をしっかりと遊技板１０に固定することができる。
そしてこの状態で遊技盤１０を正面から見て各遊技釘１４の釘頭が釘位置マーク９２と合致するかどうかを検査・確認する。その際、デジタル顕微鏡、マイクロスコープ等を透明板４０の表面に当てて遊技釘１４の釘頭と釘位置マーク９２とのズレを検知するようにしてもよい。そして、例えば図１７に「ＯＫ」として示したように、釘位置マーク９２が遊技釘１４の釘頭円の範囲内に位置しておれば合格とし、「ＮＧ」として示したように、釘位置マーク９２が遊技釘１４の釘頭円の範囲外に位置していると不合格とする。このように、釘位置マーク９２を釘頭円よりも小径の円で表示することにより、許容される一定の測定誤差を考慮したうえでの合否の判定が容易になる。
【００２５】
一方、図１８〜図２２に位置合わせ機構４５の他の実施形態を示す。この実施形態では、前記実施形態と同一機能を果たす部分については前記図４〜図８中の符号と同一符号を付すことによりその説明を割愛する。なお、この実施形態では、支軸５５を左右に微動させるための左右動ダイヤル５６が縦向きに軸支され、支軸５５を上下に微動させるための上下動ダイヤル５７が横向きに軸支される。即ち、この実施形態では、左右動ダイヤル５６のダイヤル軸５６ｂの外周、および、上下動ダイヤル５７のダイヤル軸５７ｂの外周にそれぞれ螺子溝を形成するとともに、箱状に形成された上下動体７０に鉛直軸７１を貫挿することで該上下動体７０に該鉛直軸７１に沿って上下動自在なるように支持し、該上下動体７０にダイヤル軸５７ｂを螺合するとともに、左右動体７２に水平軸７３を貫挿することにより該左右動体７２を該上下動体７０内にて該水平軸７３に沿って左右動自在なるように支持し、該左右動体７２に前記ダイヤル軸５６ｂを螺合する。そして該左右動体７２の背面に支軸５５を突設し、該支軸５５を５２ｄから突出させる。このため、上下動ダイヤル５７を回転操作すると上下動体７０が上下動するにつれて支軸５５が上下動し、左右動ダイヤル５６を回転操作すると左右動体７２が左右動するにつれて支軸５５が左右動する。
このようにこの実施形態は、図４〜図８に示した実施形態におけるウオームとウオームホイールとからなる直交伝動機構を無くすことにより、構成を簡略化し得る。そして、該左右動ダイヤル５６および上下動ダイヤル５７を回転操作することにより、前記実施形態と同様に透明板４０が微動し、基準マーク２８ａ，２８ｂと基準マーク９３ａ，９３ｂとを合致位置させられる。
【００２６】
なお、透明板４０は、上記のように各遊技釘１４の状態を検査・確認作業するときに遊技盤１０の前面に止着されるようにしてもよいが、遊技中にも該透明板４０を遊技盤１０の前面に止着した状態とすることによっては、該透明板４０を従来からのパチンコ遊技機の二重の透明板のうちの内側の透明板として機能させることができる。その場合、図２３に示したように、該透明板４０の外側に透明板７５を配置することで透明板を二重にできる。こうした場合、釘位置マーク９２が遊技中の遊技者に見えることとなるので、目立ち難くするために、該釘位置マーク９２を遊技釘１４の釘頭の色と同系色とするのがよい。
また、釘位置表示シート９０を透明板に事前に貼り付けておかないで、検査・確認作業をするときに添付しても構わない。その場合は、釘位置表示シート９０を添付した後に、位置合わせ機構を操作することにより、基準マーク２８ａ，２８ｂと基準マーク９３ａ，９３ｂとを合致位置させてから検査・確認作業を行うことになる。
また、釘位置マーク９２が印刷された釘位置表示シート９０は図２４に示したように透明板４０の後側面に貼付してもよい。なお、こうした場合でも、該釘位置マーク９２に遊技釘１４の釘頭が対向しているので、遊技中に遊技球が該釘位置マーク９２に接触するおそれは少なく、該釘位置マーク９２が接触により摩耗し消えるようなおそれは略々ない。また、図２５に示したように、釘位置表示シート９０に印刷された釘位置マーク９２が透明板４０の後側面と接するように貼付することもできるが、そうすると該釘位置マーク９２の印刷インクの厚みにより気泡ができるおそれがあるので注意を要する。この点、図１６または図２３に示したように、釘位置表示シート９０を印刷面が前側となるように透明板４０の前面に貼付することによっては、こうした懸念はない。
また、実施形態においては、図１に示したように、パチンコ遊技機の二重の透明板を一枚ずつに分離し、そのうちの内側の透明板を位置調整可能なものとして説明したが、二重の透明板が一体化した複層透明板の構造であってもよい。また、このような複層透明板の構造である場合には、釘位置表示シート９０を透明板４０の後面側に剥離可能な粘着剤を使用して添付することで機種変更に対応することが可能になる。逆に釘位置表示シート９０の不正対策を行う場合には、釘位置表示シート９０を複層透明板の内側の透明板４０の前面に添付しておけば、釘位置表示シート９０を貼り変えるような不正行為を未然に防止することが可能となる。
【符号の説明】
【００２７】
１０…遊技盤、    １１…窓孔、    １２ａ，１２ｂ…球誘導用レール、    １３…遊技領域、    １４…遊技釘、    １５ａ〜１５ｄ…取付孔、    ２１…アウト球排出口、    ２１ａ〜２１ｄ…側枠部材、    ２２ａ，２２ｂ…遊嵌孔、    ２３…板バネ、    ２４…位置決孔、    ２５…ルーズクリップ、    ２６…凹窪部、    ２７…係合孔、    ２８ａ，２８ｂ…基準マーク、    ４０…透明板、    ４２…保持枠、    ４３…遊嵌部、    ４３ａ，４３ｂ…鉤状片、    ４４…ロック部、    ４５…位置合わせ機構、    ４６…垂下部、    ４７…縦長孔、    ４８…ロック片、    ４８ａ…軸部、    ４８ｂ…摘子部、    ４８ｃ…係合部、    ４９…クサビ部、    ５０ａ〜５０ｃ…ビス、    ５１…板状止片、    ５２…ケース、    ５２ａ…軸受部、    ５２ｂ…支持軸、    ５２ｃ…ガイド孔、    ５２ｄ…大径孔、    ５３…蓋体、    ５４ａ，５４ｂ…ビス、    ５５…支軸、    ５６…左右動ダイヤル、    ５６ａ…ダイヤル孔、    ５６ｂ…ダイヤル軸、    ５６ｃ…ウオーム、    ５６ｄ…ウオームホイール、    ５６ｅ…ピニオン、    ５７…上下動ダイヤル、    ５７ａ…ダイヤル孔、    ５７ｂ…ダイヤル軸、    ５７ｃ…ウオーム、    ５７ｄ…ピニオン、    ５７ｅ…ウオームホイール、    ５７′…Ｅリング、    ６１ａ，６１ｂ…成形部材、    ６１ｃ…支持軸、    ６１ｄ…軸受部、    ６２ａ，６２ｂ…ビス、    ６３…左右動組体、    ６３ｂ…突縁、    ６３ｃ…ラック歯、    ６３ｄ…ガイド軸、    ６３ｅ…長孔、    ６５…軸基枠、    ６５ａ…ラック歯、    ６５ｂ…ガイド孔、    ７０…上下動体、    ７１…鉛直軸、    ７２…左右動体、    ７３…水平軸、    ７５…透明板、    ９０…釘位置表示シート、    ９１…透明シート、    ９２…釘位置マーク、    ９３ａ，９３ｂ…基準マーク、    ９４…機種名、    ９５…偽造防止シール
【図１】
2018201676.tif 000003
【図２】
2018201676.tif 000004
【図３】
2018201676.tif 000005
【図４】
2018201676.tif 000006
【図５】
2018201676.tif 000007
【図６】
2018201676.tif 000008
【図７】
2018201676.tif 000009
【図８】
2018201676.tif 000010
【図９】
2018201676.tif 000011
【図１０】
2018201676.tif 000012
【図１１】
2018201676.tif 000013
【図１２】
2018201676.tif 000014
【図１３】
2018201676.tif 000015
【図１４】
2018201676.tif 000016
【図１５】
2018201676.tif 000017
【図１６】
2018201676.tif 000018
【図１７】
2018201676.tif 000019
【図１８】
2018201676.tif 000020
【図１９】
2018201676.tif 000021
【図２０】
2018201676.tif 000022
【図２１】
2018201676.tif 000023
【図２２】
2018201676.tif 000024
【図２３】
2018201676.tif 000025
【図２４】
2018201676.tif 000026
【図２５】
2018201676.tif 000027